(57)【要約】【課題】  部屋や物に付着する不衛生な菌を均一に除菌することができるとともに安全性も高い除菌装置を提供する。【解決手段】  噴出口１２を有する本体１と、この本体１内に備えられた気化フィルター２と、この気化フィルター２の周囲を保持するフィルターケース４と、このフィルターケース４を上下方向に回転させる回転モータ１８と、前記気化フィルター２の一端を除菌用液体に浸漬する浸漬皿３と、この浸漬皿３に除菌用液体を供給するポンプ５と、除菌用液体により湿潤した前記気化フィルター２を通過して気化した空気を噴出口１２より噴出させるための空気流を発生する送風ファン９と、本体１外郭に設けた空気取り込み口２０と、この空気取り込み口２０近傍に設けた濃度検知装置２１とを備え、濃度検知装置２１の検知入力が閾値を越えたとき送風ファン９と回転モータ１８の出力を制御して気化量を制御する。【選択図】  図１
2006081697.tif 000002
【特許請求の範囲】
【請求項１】
噴出口（１２）を有する本体（１）と、この本体（１）内に備えられた気化フィルター（２）と、この気化フィルター（２）の周囲を保持するフィルターケース（４）と、このフィルターケース（４）を上下方向に回転させる回転モータ（１８）と、前記気化フィルター（２）の一端を除菌用液体に浸漬する浸漬皿（３）と、この浸漬皿（３）に除菌用液体を供給するポンプ（５）と、除菌用液体により湿潤した前記気化フィルター（２）を通過して気化した空気を噴出口（１２）より噴出させるための空気流を発生する送風ファン（９）と、本体（１）外郭に設けた空気取り込み口（２０）と、この空気取り込み口（２０）近傍に設けた濃度検知装置（２１）とを備え、濃度検知装置（２１）の検知入力が閾値を越えたとき送風ファン（９）と回転モータ（１８）の出力を制御して気化量を制御することを特徴とする殺菌装置。
【請求項２】
本体（１）の外郭に気化容量設定指示装置（２４）と運転状況表示器（１７）とを設け、気化容量設定指示装置（２４）による設定値が大きい場合はポンプ（５）の流量と回転モータ（１８）の回転数を多くし、気化容量設定値が少ない場合はポンプ（５）の供給量と回転モータ（１８）の回転数を少なくし気化量を減少または停止させるとともに、濃度検知装置（２１）が規定濃度以上を検知したときは、ポンプ（５）および送風ファン（９）の動作を停止するとともに、運転状況表示器（１７）にて音または光により警告する制御シーケンスを有することを特徴とする請求項１記載の殺菌装置。
【発明の詳細な説明】
【技術分野】
【０００１】
本発明は、除菌効果剤である除菌用液体を気化して居住室内に放出して除菌を行う殺菌装置に関するものである。
【背景技術】
【０００２】
従来、居住室内は、汚染物質や細菌等の汚染微生物で汚染されていることが多く、壁や調度品の黄ばみの原因となるほかに、食物の腐敗促進など好ましからざる現象がある。そこで、これらの汚染微生物を殺菌剤を含んだフィルターで捕集して殺菌し、室内環境の衛生状態を良好に保つ室内空気の殺菌方法が提案されている（例えば、特許文献１参照）。
【０００３】
また、殺菌水を霧状の微細粒水とした溶解霧水を空気中に生成して、診療中の患者の口腔から発生する各種病原菌を除菌する歯科治療装置が提案されている（例えば、特許文献２参照）。
【０００４】
【特許文献１】特開平７−１９４６８２号公報
【０００５】
【特許文献２】特開平１１−３１８９４９号公報
【発明の開示】
【発明が解決しようとする課題】
【０００６】
しかしながら、上記従来技術において、前者のものは空中浮遊物に対して捕集可能だが、部屋隅々までを除菌することは不可能である。
【０００７】
また、後者のものは、噴霧した部分は除菌効果が高いが、部屋全体となると、均一に噴霧することは不可能なうえ時間も掛り、さらに、毎日行うことは大変な労力を有するものである。
【０００８】
また、人が噴霧する場合には、噴霧濃度によっては身体に影響がでたり、噴霧する除菌剤によっては、ある濃度を超えると爆発性の危険が生じて、大変危険であるといった問題がある。
【課題を解決するための手段】
【０００９】
本発明は上記問題を解決するためになされたものであり、請求項１では噴出口を有する本体と、この本体内に備えられた気化フィルターと、この気化フィルターの周囲を保持するフィルターケースと、このフィルターケースを上下方向に回転させる回転モータと、前記気化フィルターの一端を除菌用液体に浸漬する浸漬皿と、この浸漬皿に除菌用液体を供給するポンプと、除菌用液体により湿潤した前記気化フィルターを通過して気化した空気を噴出口より噴出させるための空気流を発生する送風ファンと、本体外郭に設けた空気取り込み口と、この空気取り込み口近傍に設けた濃度検知装置とを備え、濃度検知装置の検知入力が閾値を越えたとき送風ファンと回転モータの出力を制御して気化量を制御するものである。
【００１０】
また、請求項２では本体の外郭に気化容量設定指示装置と運転状況表示器とを設け、気化容量設定指示装置による設定値が大きい場合はポンプの流量と回転モータの回転数を多くし、気化容量設定値が少ない場合はポンプの供給量と回転モータの回転数を少なくし気化量を減少または停止させるとともに、濃度検知装置が規定濃度以上を検知したときは、ポンプおよび送風ファンの動作を停止するとともに、運転状況表示器にて音または光により警告する制御シーケンスを有するものである。
【発明の効果】
【００１１】
本発明の殺菌装置は、上記のように構成したことにより、部屋全体を衛生的に保つために、除菌効果のある気化状の物質を部屋の空間に放出することができるため、部屋の隅々まで除菌することができる。
【００１２】
また、気化状の物質の濃度を一定に保つことができるので、身体に影響が出たり、爆発の危険が生じるようなことがなく安全である。
【００１３】
さらに、人手による噴霧器に比べ労力が必要なく大変便利である。
【発明を実施するための最良の形態】
【００１４】
以下、本発明の一実施例を図１〜図４を参照して説明する。図１は本発明の一実施例を示す殺菌装置の概略構成を説明する縦断面図、図２は同じく外観斜視図、図３は同じく制御ブロック図、図４は同じく動作シーケンス図である。
【００１５】
図において、１は殺菌装置の本体。２は気化フィルターで、本体１内に備えられ、小穴の開いた吸水性の良いシート状の素材をプリーツ折りして形成されているもので、除菌用の液体であるアルコール液により湿潤させ気化させるものである。
【００１６】
３は浸漬皿で、除菌用の液体であるアルコール液を気化フィルター２の一端に浸漬するためのものである。
【００１７】
４はフィルターケースで、気化フィルター２の周囲を保持するためのものであり、この気化フィルター２の中心部に設けられた軸（図示せず）により上下方向に回転自在となっている。
【００１８】
５はポンプで、浸漬皿３に除菌用液体であるアルコール液を供給するものである。
【００１９】
６はリターンパイプで、浸漬皿３に入りすぎたアルコール液を後記するアルコール液受皿８に戻すためのもので、アルコール液が気化し難い環境などでアルコール液が浸漬皿３から溢れないようにしている。
【００２０】
７は回転角センサで、気化フィルター２が回転したときの回転角度を検知するセンサで後記する中央制御装置２３に入力している。
【００２１】
８はアルコール液受皿で、このアルコール液受皿８内のアルコール液がポンプ５により浸漬皿３に送り込まれる。
【００２２】
９は送風ファンで、除菌用液体であるアルコール液により湿潤したフィルター２を送風ファン９で発生させた空気流を通過させ、気化した空気を後記する噴出口１２より噴出させて室内に放出するためのものである。
【００２３】
１０は転倒センサで、後記する操作パネル１３上に搭載され本体１が転倒時に通電や停止動作にさせるためのものである。
【００２４】
１２は噴出口で、本体１の上面に取り付けられており、気化フィルター２を通過した空気流により気化したアルコール液がここから放出される。
【００２５】
１３は操作パネルで、本体１の上面部に設けられ、後記する運転開始指示装置１４、運転停止指示装置１５、気化容量設定指示装置２４、運転状況表示器１７等の制御部が組み込まれているものである。
【００２６】
１４は運転開始指示装置で、殺菌装置を運転開始する時この運転開始指示装置１４を操作することにより運転を開始する。
【００２７】
１５は運転停止指示装置で、殺菌装置の運転を停止するときこの運転停止指示装置１５を操作することにより運転を停止する。
【００２８】
１６は液体補充検知装置で、アルコール液受皿８のアルコール液の有無を検知するものである。
【００２９】
１７は運転状況表示器で、濃度検知装置２１の検知した情報や、気化容量設定指示装置２４の設定情報、あるいは運転状況等を表示するものである。
【００３０】
１８は回転モータで、フィルター２を収納したフィルターケース４を上下方向に回転させる。
【００３１】
１９はタンクで、このタンク１９内のアルコール液をアルコール液受皿８に供給している。
【００３２】
２０は空気取り込み口で、送風ファン９が送風する外部空気を取り込むためのものであり、本体１の外郭側面に設けられている。
【００３３】
２１は濃度検知装置で、送風ファン９の空気取り込み口２０近傍に設けられ除菌用液体であるアルコール液の気化濃度を検知するものである。
【００３４】
２３は中央制御装置で、マイクロコンピュータで構成されている。
【００３５】
２４は気化容量設定指示装置で、本体１の外郭上面または側面に配置され、殺菌装置が設置される部屋の大きさに合わせた時間当たりの気化容量を設定するものであり、操作間違いにより、小さい容積の部屋で気化容量大の設定をしてしまうと濃度過多となり危険になるため、通常は一定の操作手順を行わないと設定変更が出来なくして操作間違いによる誤設定を防ぐようにしている。そして、気化容量設定指示装置２４で設定した気化容量に応じて浸漬皿３へのアルコール液の供給量をポンプ５の出力で可変すると共に、気化フィルター２を回転させる回転モータ１８の回転数を可変することで気化量を調整し最適な濃度にして噴出口１２から噴出させる。
【００３６】
次に、以上の構成による動作を説明する。
【００３７】
気化容量設定指示装置２４で予め設定された気化容量に基づき、運転開始指示装置１４が操作されて運転の開始が指示されると、中央制御装置２３は送風ファン９への通電を開始するとともに濃度検知装置２１で室内のアルコール濃度を検知し、その検知濃度が規定値濃度（閾値）以下であれば、ポンプ５を作動させてアルコール液受皿８のアルコール液を浸漬皿３に送り込む。
【００３８】
次に回転モータ１８を通電して気化フィルター２を収納したフィルターケース４を回転させ、回転角センサ７で検知するフィルターケース４の位置が丁度浸漬皿３の位置で停止させることにより、気化フィルター２の一端を浸漬皿３のアルコール液に浸漬させてアルコール液を吸水させる。そして、一定時間経過した後再度回転させる。同様な動作で気化フィルター２の他端も浸漬皿３のアルコール液に浸かりアルコール液を吸水する。
【００３９】
そして、浸漬皿３とは反対側に位置している気化フィルター２の一端面は送風ファン９の送風通路に在るため、送風ファン９で発生した風に曝され吸水したアルコール液が気化し、噴出口１２を介して本体１外へ放出される。
【００４０】
室内のアルコールの気化濃度が上昇し、濃度検知装置２１で検知する濃度が閾値を越えると、ポンプ５を停止して浸漬皿３へのアルコール液の供給を停止するとともに、送風ファン９の能力を落として気化フィルター２からの気化量を減らすように制御する。
【００４１】
また、気化しにくい環境で浸漬皿３にアルコール液が入りすぎた場合はリターンパイプ６を介しアルコール液受皿８に戻し、浸漬皿３からアルコール液が溢れることが無いようにしている。
【００４２】
また、気化容量設定指示装置２４での設定は、部屋の大きさとのバランスがあるので、決められた操作手順を行わないと設定値を変更できなくし、容易に設定値を変更できなくすることにより、誤った設定値で運転されることがないようにしている。
【００４３】
図４はアルコール液を気化させる制御シーケンス図で、アルコール液の気化する量は、気化容量設定指示装置２４で予め設定し、例えば容量の多い場合の“Ａ”モードでは、ポンプ５で汲み上げる量、および、回転モータ１８の回転数を強に設定している。
【００４４】
濃度検知装置２１の検知入力が除菌作用が現れるアルコール濃度以上（閾値以上）ではポンプ５を停止させ、送風ファン９の能力を落として「弱」とし、濃度検知装置２１の検知入力が閾値を下回ったらポンプ５を再度動作させ送風ファン９の能力を「強」にして気化量を制御する。
【００４５】
殺菌装置を小さめな部屋に設置する場合は、気化容量設定指示装置２４での設定を少なめにし、ポンプ５や、回転モータ１８の能力を落として動作させる。
【００４６】
また、濃度検知装置２１の検知入力が閾値以下か以上かを監視して制御しているにも係わらずアルコール濃度が上昇する場合には、爆発防止のための通常制御する閾値より高い閾値（爆発限界濃度）が設けてあり、この閾値以上が検知されたときは、運転状況表示器１７で音や光の表示等で使用者に対し警報を発する。
【００４７】
このように、部屋全体を衛生的に保つために、除菌効果のある気化状の物質であるアルコールを部屋の空間に放出することができるため、部屋の隅々まで除菌することができる。
【００４８】
また、気化状の物質であるアルコールの濃度を一定に保つことができるので、身体に影響が出たり、爆発の危険が生じるようなことがなく安全である。
【００４９】
さらに、人手による噴霧器に比べ労力が必要なく大変便利である。
【００５０】
なお、本実施例では除菌効果のあるアルコール液を使用して除菌行うようにしたが、同様な効果が出せる除菌作用のある気化状物質であればアルコール液以外でも構わない。
【図面の簡単な説明】
【００５１】
【図１】本発明の一実施例を示す殺菌装置の概略構成を説明する縦断面図である。
【図２】同じく外観斜視図である。
【図３】同じく制御ブロック図である。
【図４】同じく動作シーケンス図である。
【符号の説明】
【００５２】
１  本体
２  気化フィルター
３  浸漬皿
４  フィルターケース
５  ポンプ
９  送風ファン
１２  噴出口
１７  運転状況表示器
１８  回転モータ
２０  空気取り込み口
２１  濃度検知装置
２４  気化容量設定指示装置
【図１】
2006081697.tif 000003
【図２】
2006081697.tif 000004
【図３】
2006081697.tif 000005
【図４】
2006081697.tif 000006